(57)【要約】      （修正有） 【課題】針先を好適にカバーするニードルキャップを提供する。【解決手段】裁縫用針の針先１２をカバーするニードルキャップ２０であって、中心位置より挿入部２４側に少なくとも一部が位置する第１部分と、前記第１部分より先端部２６側に位置する第２部分と、を有しており、前記第２部分は、前記第１部分より、針先１２の挿入抵抗が高いことを特徴とする。【選択図】図２
0003210388.tif 000002
【実用新案登録請求の範囲】
【請求項１】
裁縫用針の針先をカバーするニードルキャップであって、
中心位置より挿入部側に少なくとも一部が位置する第１部分と、前記第１部分より先端部側に位置する第２部分と、を有しており、
前記第２部分は、前記第１部分より、前記針先の挿入抵抗が高いことを特徴とするニードルキャップ。
【請求項２】
裁縫用針の針先をカバーするニードルキャップであって、
内部に収容空間を形成する外皮部と、前記収容空間に内包された充填部と、を有しており、
前記外皮部は、前記内部側へくぼんでおり前記針先が挿入される挿入部と、前記挿入部とは反対側に形成されており前記針先の挿入方向に沿って前記収容空間が徐々に狭くなる先端部と、を有しているニードルキャップ。
【請求項３】
前記充填部は、前記収容空間の中心位置より前記挿入部側に少なくとも一部が位置する第１部分と、前記第１部分より前記先端部側に位置する第２部分と、を有しており、
前記第２部分は、前記第１部分より、前記針先の挿入抵抗が高いことを特徴とする請求項２に記載のニードルキャップ。
【請求項４】
前記外皮部は、ハート形の外形状を有することを特徴とする請求項２又は請求項３に記載のニードルキャップ。
【請求項５】
前記外皮部は、第１片と、前記第１片とは色が異なる第２片と、を接合してなり、
前記挿入部は、前記第１片と前記第２片との境界に位置することを特徴とする請求項２から請求項４までに記載のニードルキャップ。
【請求項６】
前記外皮部は、前記先端部における前記挿入方向の先端を頂点とし、前記挿入方向の先端と前記挿入部とを結ぶ線分を二等分線とする内接二等辺三角形を規定することができ、
前記外皮部は、前記内接二等辺三角形の底辺から外側へ膨らんでいる第１膨大部と、前記内接二等辺三角形の等辺から外側へ膨らんでいる第２膨大部と、を有することを特徴とする請求項２から請求項５までに記載のニードルキャップ。
【考案の詳細な説明】
【技術分野】
【０００１】
本考案は、裁縫用針の針先をカバーするニードルキャップに関する。
【背景技術】
【０００２】
手縫い用の縫い針や、まち針は、布地等に刺したままの状態にしておく場合があり、このような場合、誤って針先が人体等に触れた場合、刺し傷等ができる場合がある。このような問題を防止するために、針先を保護するニードルキャップが提案されている。
【先行技術文献】
【特許文献】
【０００３】
【特許文献１】特開平１０−２０４７１４号公報
【考案の概要】
【考案が解決しようとする課題】
【０００４】
従来のキャップは、硬質のプラスチック製等であるため、針先に刺しにくく、また、弱く刺し過ぎると簡単に外れ、強く刺しすぎると取れ難く、刺し具合が難しいという問題を有している。
【０００５】
本考案は、このような課題を解決するためになされたものであり、針先を好適にカバーするニードルキャップを提供する。
【考案が解決しようとする手段】
【０００６】
本考案の第１の観点に係るニードルキャップは、裁縫用針の針先をカバーするニードルキャップであって、
中心位置より挿入部側に少なくとも一部が位置する第１部分と、前記第１部分より先端部側に位置する第２部分と、を有しており、
前記第２部分は、前記第１部分より、前記針先の挿入抵抗が高いことを特徴とする。
【０００７】
本考案の第１の観点に係るニードルキャップは、ニードルキャップが第１部分と第２部分を有することにより、針先がニードルキャップを貫通することを防止し、針先をニードルキャップ内に収めて、針先を適切にカバーすることができる。また、ニードルキャップが第１部分と第２部分とを有するため、使用者は、針先をニードルキャップに刺す際において、挿入抵抗の変化から適切な挿入深さを容易に認識することができる。
なお、第１の観点に係るニードルキャップは、内部側へくぼんでおり針先が挿入される挿入部と、挿入部とは反対側に形成されており針先の挿入方向に沿って尖っている先端部と、を有してもよい。
【０００８】
本考案の第２の観点に係るニードルキャップは、裁縫用針の針先をカバーするニードルキャップであって、
内部に収容空間を形成する外皮部と、前記収容空間に内包された充填部と、を有しており、
前記外皮部は、前記内部側へくぼんでおり前記針先が挿入される挿入部と、前記挿入部とは反対側に形成されており前記針先の挿入方向に沿って前記収容空間が徐々に狭くなる先端部と、を有している。
【０００９】
本考案に係るニードルキャップは、外皮部と充填部との二重構造であるため針先を刺しやすく、かつ、刺した感触から、針先を容易に充填部に配置し、針先を適切にカバーできる。また、ニードルキャップは、外皮部が挿入部を有しているため、針先を収容空間の中心へ向かって刺しやすく、また、先端部を有するため、外皮部の内側に、針先を収容するために十分な収容空間を有する。
【００１０】
また、たとえば、前記充填部は、前記収容空間の中心位置より前記挿入部側に少なくとも一部が位置する第１部分と、前記第１部分より前記先端部側に位置する第２部分と、を有してもよく、
前記第２部分は、前記第１部分より、前記針先の挿入抵抗が高くてもよい。
【００１１】
充填部が第１部分と第２部分を有することにより、針先がニードルキャップを貫通することを防止し、針先を収容空間内に収めて、針先を適切にカバーすることができる。また、第２部分があるため、使用者は、針先をニードルキャップに刺す際において、挿入抵抗の変化から適切な挿入深さを容易に認識することができる。
【００１２】
また、たとえば、前記外皮部は、ハート形の外形状を有してもよい。
【００１３】
外皮部がハート形の外形状を有するニードルキャップは、挿入部および挿入方向を視認し易く、また、使用者はニードルキャップを指先に挟んで容易に取り扱うことができる。
【００１４】
また、たとえば、前記外皮部は、第１片と、前記第１片とは色が異なる第２片と、を接合してなっていてもよく
前記挿入部は、前記第１片と前記第２片との境界に位置してもよい。
【００１５】
このようなニードルキャップは、挿入部の位置および挿入方向を容易に認識可能であるため使いやすい。
【００１６】
また、たとえば、前記外皮部は、前記先端部における前記挿入方向の先端を頂点とし、前記挿入方向の先端と前記挿入部とを結ぶ線分を二等分線とする内接二等辺三角形を規定することができてもよく、
前記外皮部は、前記内接二等辺三角形の底辺から外側へ膨らんでいる第１膨大部と、前記内接二等辺三角形の等辺から外側へ膨らんでいる第２膨大部とを有してもよい。
【００１７】
このようなニードルキャップは、第１膨大部が針先を挿入部へ導くために、挿入部から挿入方向に沿って、容易に針先を収容空間に収めることができる。また、第２膨大部を有するために、使用時において、外皮部の外側に添えられた使用者の指先へ、針先が近づきすぎる問題を防止できる。
【図面の簡単な説明】
【００１８】
【図１】図１は、本考案の一実施形態に係るニードルキャップの使用状態を示す概略図である。
【図２】図２は、図１に示すニードルキャップの正面図である。
【図３】図３は、図１に示すニードルキャップの挿入部側からの斜視図である。
【図４】図４は、図１に示すニードルキャップの先端部側からの斜視図である。
【図５】図５は、図１に示すニードルキャップの断面図である。
【図６】図６は、図１に示すニードルキャップで規定する内接二等辺三角形と外皮部の関係を示す概念図である。
【考案を実施するための形態】
【００１９】
図１は、本考案の一実施形態に係るニードルキャップ２０の使用状態を示す概略図である。ニードルキャップ２０は、手縫い用の縫い針や、まち針の針先をカバーするために使用される。図１に示すように、ニードルキャップ２０の使用者は、裁縫用針１０の針先１２にニードルキャップ２０を取り付けることにより、針先１２が誤って皮膚等に刺さる問題を防止できる。
【００２０】
正面図である図２および断面図である図５に示すように、ニードルキャップ２０は、内部に収容空間２８を形成する外皮部２２と、収容空間２８に内包された充填部３２とを有する。図１および図２に示すように、外皮部２２は、挿入部２４と先端部２６とを有している。挿入部２４は、内部側へくぼんでおり、使用時において、裁縫用針１０の針先１２は、挿入部２４からニードルキャップ２０の内部へ挿入される。図２および図５に示すように、先端部２６は、挿入部２４とは反対側に形成されており、先端部２６では、幅方向（図２に示される方向であって挿入方向８０に垂直な方向）についても、厚み方向（図５に示される方向であって挿入方向８０に垂直な方向）についても、針先の挿入方向８０に沿って収容空間２８が狭くなる（図４参照）。
【００２１】
外皮部２２は、略同一の形状を有する布片である第１片２２ａと第２片２２ｂとを接合してなる。第１片２２ａと第２片２２ｂとはいずれもハート形であるが、第１片２２ａおよび第２片２２ｂの形状はこれに限定されない。外皮部２２は、第１片２２ａと第２片２２ｂとの外縁近傍を接合して形成されており、先述した挿入部２４と、先端部２６の先端２６ａとは、第１片２２ａと第２片２２ｂとの境界である接合部２２ｃ上に位置する（図３参照）。
【００２２】
図２に示すように、第１片２２ａと第２片２２ｂとを接合してなる外皮部２２も、ハート形の外形状を有しており、挿入部２４は、ハート形のくぼみ部分に位置する。本実施形態では、第１片２２ａと第２片２２ｂとは、互いに異なる色（又は柄）を有しているため、ニードルキャップの使用者は、針先１２を挿入する挿入位置である挿入部２４を、容易に視認することができる。
【００２３】
外皮部２２の材質は、シート状の布材等であれば特に限定されないが、たとえばフェルトのような不織布であってもよく、織布であってもよい。不織布または織布を構成する繊維についても、羊毛のような獣毛であってもよく、植物繊維や化学繊維であってもよい。外皮部２２は、針先１２の挿入抵抗が、後述する充填部３２、特に第１部分３２ａより高いことが好ましい。これにより、針先１２が誤ってニードルキャップ２０を貫通してしまう問題を防止できる。
【００２４】
外皮部２２における第１片２２ａと第２片２２ｂとの接合方法も特に限定されず、第１片２２ａと第２片２２ｂとは、糸により縫い合わされることにより接合されていてもよく、接着剤その他を用いて接合されていてもよい。なお、外皮部２２は、１枚の布片によって構成されていてもよい。
【００２５】
図５に示すように、外皮部２２に収容される充填部３２は、収容空間２８の中心位置２８ａより挿入部２４側に少なくとも一部が位置する第１部分３２ａと、第１部分３２ａより先端部２６側に位置する第２部分３２ｂと、を有する。なお、収容空間２８の中心位置２８ａは、図２に示すニードルキャップ２０の外接円の中心で定義される。
【００２６】
第２部分３２ｂは、第１部分３２ａより、針先１２の挿入抵抗が高い。充填部３２は、たとえば綿（わた）、スポンジ、粒状材等で構成されるが、特に限定されない。充填部３２を構成する綿等の材質も特に限定されず、植物繊維や化学繊維であってもよく、発泡質の樹脂等であってもよい。第１部分３２ａと第２部分３２ｂとは異なる挿入抵抗を有しており、第２部分３２ｂは、第１部分３２ａより針先１２の挿入抵抗が高い。これにより、第２部分３２ｂは、針先１２がニードルキャップ２０を貫通することを防ぐストッパーとして機能する。なお、第２部分３２ｂの挿入抵抗は、針先１２の貫通を確実に防止するために外皮部２２の挿入抵抗より高くてもよく、また、針先１２の実質的な収容空間を広げる観点等から外皮部２２の挿入抵抗より低くてもよい。
【００２７】
第１部分３２ａと第２部分３２ｂとは、同じ材質であって、硬さや密度を変えることにより挿入抵抗に違いを持たせたものであってもよく、材質を変えることで挿入抵抗に違いを持たせたものであってもよい。たとえば、第１部分３２ａを綿で構成し、第２部分３２ｂを粒状又は断片状の樹脂材で構成してもよく、また、第１部分３２ａと第２部分３２ｂとの境界は、遷移的であってもよい。また、第２部分３２ｂは、先端部２６の近傍に配置されていればよく、第２部分３２ｂの形状は特に限定されない。図５に示すように、挿入部２４と第１部分３２ａとの接触部分から第１部分３２ａと第２部分３２ｂとの接触部分３３までの長さＬ２は、接触部分３３から第２部分３２ｂと先端２６ａとの接触部分までの長さＬ１より長いことが好ましい。これにより針先１２を容易に挿入できる第１部分３２ａが広くなり、ニードルキャップ２０にしっかりと針先１２を差し込むことができる。また、接触部分３３から第２部分３２ｂと先端２６ａとの接触部分までの長さＬ１は、外皮部２２の厚みＬ３より長いことが、針先１２の貫通を確実に防止する観点から好ましい。
【００２８】
ニードルキャップ２０の大きさは特に限定されないが、たとえば図２に示すように、縦Ｌ４（挿入方向８０）：１〜３ｃｍ、横Ｌ５：１〜３ｃｍ程度とすることができ、図５に示すように、厚みＬ６：０．３〜１ｃｍ程度とすることができる。
【００２９】
図６に示すように、ニードルキャップ２０を正面視した場合、外皮部２２は、先端部２６における挿入方向Ｄの先端２６ａを頂点Ａとし、挿入方向Ｄの先端２６ａ（頂点Ａ）と挿入部２４とを結ぶ線分ＡＢを二等分線５１とする内接二等辺三角形５０を規定することができる。外皮部２２は、内接二等辺三角形５０の底辺ＣＤの一部である底辺ＣＢ、ＤＢから外側へ膨らんでいる２つの第１膨大部２９ａと、等辺ＡＣ、ＡＤから外側へ膨らんでいる２つの第２膨大部２９ｂとを有する。
【００３０】
挿入部２４は、２つの第１膨大部２９ａの間に形成されたくぼみであり、ニードルキャップ２０がこのような形状を有しているために、使用者は、挿入部２４から挿入方向Ｄに沿って、容易に針先１２を収容空間２８に収めることができる。先端２６ａで接続する２つの第２膨大部２９ｂは、外皮部２２の外側に添えられる使用者の指先を、針先１２の挿入ルートから遠ざける作用があり、また、第２膨大部２９ｂにより収容空間２８が大きくなるため、このようなニードルキャップ２０は、針先１２が使用者の指先に接触等する問題を防止することができる。
【００３１】
このようなニードルキャップ２０は、外皮部２２及び充填部３２がフェルト、スポンジ、綿などの軽量かつ柔軟な材料で構成されているため、仮縫いや補正において洋服や布地に刺した裁縫用針１０の針先１２をカバーするために好適に使用することができ、針先１２が意図しない場所や人の肌等に接触したり、引っかかったりする問題を好適に防止できる。特にニードルキャップ２０は、裁縫用針１０に対して、針先１２をカバーする適切な位置に容易に取り付けることができ、また、装着の際に、誤って針先１２がニードルキャップ２０を貫通する問題を防止できる。なお、使用者は、ニードルキャップ２０の挿入部２４以外の場所から、針先１２を差し込んでもよく、また、ニードルキャップ２０は、待ち針刺しとしても使用できる。
【００３２】
以上のように、実施形態を示して本考案を説明したが、本考案はこれらの実施形態のみに限定されず、他の多くの実施形態が本考案に含まれるのは言うまでもない。たとえば、外皮部２２の素材は、柔軟性のある布片等で構成するだけでなく、より硬い素材で構成されてもよく、その場合、挿入部のみが、外皮部の他の部分より柔らかく（挿入抵抗が低く）なっていてもよい。
【００３３】
また、本考案に係るニードルキャップは、図５に示すように、外皮部２２と充填部３２とを有するものに限定されず、外皮部２２を有さないものも含まれる。このような他の実施形態に係るニードルキャップは、第１部分３２ａと第２部分３２ｂとを有する充填部に相当する構造を有しており、第１部分３２ａおよび第２部分３２ｂが外皮部に覆われていない。このような第１部分３２ａと第２部分３２ｂとを有するニードルキャップは、たとえば、異なる硬さの２つの部分を有する樹脂材料等で構成され、図６に示すニードルキャップ２０と同様のハート形の外形状を有してもよい。
【符号の説明】
【００３４】
１０…裁縫用針
１２…針先
２０…ニードルキャップ
２２…外皮部
２２ａ…第１片
２２ｂ…第２片
２２ｃ…接合部
２４…挿入部
２６…先端部
２６ａ…先端
２８…収容空間
２８ａ…中心位置
２９ａ…第１膨大部
２９ｂ…第２膨大部
３２…充填部
３２ａ…第１部分
３２ｂ…第２部分
５０…内接二等辺三角形
５１…二等分線
ＡＢ…線分
ＡＣ、ＡＤ…等辺
ＣＤ、ＣＢ、ＤＢ…底辺
８０…挿入方向
【図１】
0003210388.tif 000003
【図２】
0003210388.tif 000004
【図３】
0003210388.tif 000005
【図４】
0003210388.tif 000006
【図５】
0003210388.tif 000007
【図６】
0003210388.tif 000008